(57)【要約】【課題】オーバーキャップが不用意に取り外されるのを防止することができる塗布容器を提供することを目的とする。【解決手段】容器２と、容器口部２ａに装着された塗布部材３と、塗布部材３を覆うオーバーキャップ４と、を備える塗布容器１であって、オーバーキャップ４には、口部２ａに螺着された内キャップ１０と、内キャップ１０に被着された押し下げ可能な外キャップ２０と、少なくとも外キャップ２０が押し下げられた状態において外キャップ２０を上方に付勢する付勢部材３０と、が備えられ、塗布部材３の塗布面５０に流通孔５１が形成され、流通孔５１の内側に塗布栓６が上方付勢状態で出没可能に挿通され、外キャップ２０には、塗布栓６を押し下げる押下部２５と、内キャップ１０に設けられた第一係合部１５の上方に配置されているとともに、外キャップ２０が押し下げられた状態において第一係合部１５に係合する第二係合部２３と、が備えられている。【選択図】図１
2010076840.tif 000002
【特許請求の範囲】
【請求項１】
内容物が収容される容器と、該容器の口部に装着されて前記容器内の内容物を流出させて塗布する塗布部材と、該塗布部材を覆うオーバーキャップと、を備える塗布容器であって、
前記オーバーキャップには、前記口部に螺着された内キャップと、該内キャップに被着されているとともに該内キャップに対して相対的にキャップ軸方向に押し下げ可能な外キャップと、少なくとも前記外キャップが押し下げられた状態において当該外キャップを上方に付勢する付勢部材と、が備えられ、
前記塗布部材の塗布面には、キャップ軸方向に延在するとともに前記容器の内部に連通された流通孔が形成され、
該流通孔の内側には、上部が前記塗布面の上方に突出されているとともに前記流通孔を閉塞する塗布栓が、上方付勢状態で出没可能に挿通されており、
前記外キャップには、
当該外キャップが押し下げられることで前記塗布栓を押し下げて前記流通孔を開放させる押下部と、
前記内キャップに設けられた第一係合部の上方に配置されているとともに、当該外キャップが押し下げられた状態において前記第一係合部に対してキャップ軸回り方向から係合する第二係合部と、
が備えられていることを特徴とする塗布容器。
【請求項２】
請求項１に記載の塗布容器において、
前記内キャップには、キャップ径方向に弾性変形可能な連結部を介して第三係合部が設けられ、
前記外キャップには、前記口部に対する前記内キャップの締込み方向の後方側から前記第三係合部に係合するとともに、前記連結部がキャップ径方向に弾性変形することで前記口部に対する前記内キャップの緩み方向の後方側から前記第三係合部を通過する第四係合部が設けられていることを特徴とする塗布容器。
【発明の詳細な説明】
【技術分野】
【０００１】
本発明は、液剤等の内容物を塗布するための塗布容器に関する。
【背景技術】
【０００２】
この種の塗布容器として、従来、例えば特許文献１に示されているような、内容物が収容される容器と、容器の口部に装着されて容器内の内容物を流出させて塗布する塗布部材と、容器口部に螺着されて塗布部材を覆うオーバーキャップと、を備える構成が知られている。この塗布容器を使用する際には、まず、オーバーキャップを容器口部から取り外す。その後、塗布部材の塗布面を被塗布面に押し当てて、被塗布面に内容物を塗布する。
【特許文献１】実用新案登録第２５５３４９３号公報
【発明の開示】
【発明が解決しようとする課題】
【０００３】
しかしながら、上記した従来の塗布容器では、オーバーキャップと容器とをキャップ軸回りに相対回転させるだけでオーバーキャップが取り外されるので、例えば子供等でもオーバーキャップを簡単に取り外すことができる。このため、オーバーキャップが不用意に取り外される場合がある。
【０００４】
本発明は、上記した従来の問題が考慮されたものであり、オーバーキャップが不用意に取り外されるのを防止することができる塗布容器を提供することを目的としている。
【課題を解決するための手段】
【０００５】
本発明に係る塗布容器は、内容物が収容される容器と、該容器の口部に装着されて前記容器内の内容物を流出させて塗布する塗布部材と、該塗布部材を覆うオーバーキャップと、を備える塗布容器であって、前記オーバーキャップには、前記口部に螺着された内キャップと、該内キャップに被着されているとともに該内キャップに対して相対的にキャップ軸方向に押し下げ可能な外キャップと、少なくとも前記外キャップが押し下げられた状態において当該外キャップを上方に付勢する付勢部材と、が備えられ、前記塗布部材の塗布面には、キャップ軸方向に延在するとともに前記容器の内部に連通された流通孔が形成され、該流通孔の内側には、上部が前記塗布面の上方に突出されているとともに前記流通孔を閉塞する塗布栓が、上方付勢状態で出没可能に挿通されており、前記外キャップには、当該外キャップが押し下げられることで前記塗布栓を押し下げて前記流通孔を開放させる押下部と、前記内キャップに設けられた第一係合部の上方に配置されているとともに、当該外キャップが押し下げられた状態において前記第一係合部に対してキャップ軸回り方向から係合する第二係合部と、が備えられていることを特徴としている。
【０００６】
このような特徴により、使用前の状態においては、外キャップに設けられた第二係合部が内キャップに設けられた第一係合部の上方に配置されている。これにより、第一係合部と第二係合部とが互いに係合されないので、外キャップがキャップ軸回りに回転しても内キャップは回転せず、口部に螺着された内キャップが緩められない。つまり、外キャップを回転させるだけではオーバーキャップは外れない。
一方、使用時には、まず、外キャップをキャップ軸方向に押し下げる。これにより、外キャップに設けられた第二係合部が内キャップに設けられた第一係合部に対して係合可能となる。続いて、外キャップを押し下げたままキャップ軸回りに回転させる。このとき、外キャップの第二係合部が内キャップの第一係合部に係合されるので、外キャップと共に内キャップがキャップ軸回りに回転する。これにより、口部に螺着された内キャップが緩められ、オーバーキャップが口部から取り外される。
また、オーバーキャップが口部から取り外されると、付勢部材によって外キャップが上方に付勢され、外キャップは内キャップに対して相対的に押し上げられる。これにより、外キャップの第二係合部が内キャップの第一係合部の上方に配置され、第一係合部と第二係合部とが互いに係合されない状態に戻る。
さらに、オーバーキャップの取り外し後、塗布部材の塗布面を被塗布面に押し当てることにより、流通孔から突出した塗布栓が被塗布面によって容器内方側に押し込まれる。これにより、流通孔が開放され、容器内の内溶液が流通孔を通って吐出されて被塗布面に塗布される。このとき、例えば揮発性の高い内容物を容器に収容したり、容器が高温に晒されたりすることで容器の内圧が上昇すると、塗布時に必要以上に多い内容物が噴出するおそれがあるが、本発明に係る塗布容器では、容器の内圧が上昇した場合であっても、外キャップをキャップ軸方向に押し下げたとき、外キャップと共に押下部が下降し、この押下部が塗布栓を下方に押し下げることで流通孔が開放されるので、流通孔から容器内の圧力が抜けて容器の内圧が低下する。
【０００７】
また、本発明に係る塗布容器は、前記内キャップに、キャップ径方向に弾性変形可能な連結部を介して第三係合部が設けられ、前記外キャップに、前記口部に対する前記内キャップの締込み方向の後方側から前記第三係合部に係合するとともに、前記連結部がキャップ径方向に弾性変形することで前記口部に対する前記内キャップの緩み方向の後方側から前記第三係合部を通過する第四係合部が設けられていることが好ましい。
【０００８】
これにより、使用後に、オーバーキャップを口部に被せ、その後、口部に対する内キャップの締込み方向と同方向に外キャップをキャップ軸回りに回転させる。このとき、外キャップに設けられた第四係合部が、内キャップに設けられた第三係合部に対して、内キャップの締込み方向の後方側から係合されるので、外キャップと共に内キャップが締込み方向に回転する。これにより、内キャップが口部に締め込まれて螺着され、オーバーキャップが口部に装着される。つまり、外キャップを押し下げることなく、外キャップを回転させるだけで、オーバーキャップが口部に装着される。
一方、オーバーキャップ４を取り外す際、口部に対する内キャップの緩み方向と同方向に外キャップを回転させると、外キャップの第四係合部が内キャップの第三係合部に当接するが、連結部がキャップ径方向に弾性変形し、第四係合部は緩み方向の後方側から第三係合部を通過してキャップ軸回りに移動する。したがって、外キャップを緩み方向に回転させても内キャップは回転せず、口部に螺着された内キャップが緩められない。つまり、外キャップを回転させるだけではオーバーキャップは外れない。
【発明の効果】
【０００９】
本発明に係る塗布容器によれば、オーバーキャップを取り外すには外キャップを押し下げながら回転させる必要があり、外キャップを回転させただけではオーバーキャップが外れないため、オーバーキャップが不用意に取り外されるのを防止することができる。
【発明を実施するための最良の形態】
【００１０】
以下、本発明に係る塗布容器の第１、第２の実施の形態について、図面に基いて説明する。
【００１１】
［第１の実施の形態］
まず、本発明の第１の実施の形態について図１から図４に基いて説明する。
図１は本実施の形態における塗布容器１の縦断面図であり、図２は図１に示すＡ−Ａ間の横断面図であり、図３は後述する第一係合部１５、連結部１６及び第三係合部１７を表す部分斜視図であり、図４は後述する外キャップ２０を押し下げた状態を表す塗布容器１の縦断面図である。
なお、図１に示す一点鎖線Ｏは、後述するオーバーキャップ４の中心軸線を表しており、以下、単に「軸線Ｏ」と記す。また、この軸線Ｏに沿った方向（キャップ軸方向）を「軸方向」とし、軸線Ｏに直交する方向（キャップ径方向）を「径方向」とし、軸線Ｏ回りの方向（キャップ軸回り方向）を「周方向」とする。また、図１に示すオーバーキャップ４側（図１における上側）を「上」とし、その反対側（図１における下側）を「下」とする。
【００１２】
図１、図２に示すように、塗布容器１は、液剤等の内容物を被塗布面に塗布するための容器であり、その概略構成としては、内容物が収容される容器２と、容器２の口部２ａに装着されて容器２内の内容物を流出させて塗布する塗布部材３と、塗布部材３を覆う着脱可能なオーバーキャップ４と、を備えている。
容器２は、軸方向に延在する有底筒状のボトル容器であり、その上端部分に略円筒形状の口部２ａが設けられている。この口部２ａは、軸線Ｏを中心軸線にして軸方向に延設されており、口部２ａの外周面には雄ネジ２ｂが形成されている。
【００１３】
塗布部材３は、口部２ａに装着され、先端（上端）の塗布面５０に流通孔５１が形成された流通筒５と、流通孔５１に上方付勢状態で出没可能に挿通された塗布栓６と、流通筒５に連結された導入筒７と、塗布栓６を上方（容器２の外側）に向けて付勢する第一付勢部材８と、を備えている。
【００１４】
流通筒５は、軸線Ｏを共通軸にして口部２ａと同軸上に配設された筒部であり、その内部が導入筒７を介して容器２内に連通されている。流通筒５の下部は、口部２ａの内側に密嵌されており、流通筒５の上部は、口部２ａの上側開口部から上方に向けて突出されている。流通筒５の上部は、上方に向かうに従い漸次縮径されたテーパー形状を成しており、その先端面（塗布面５０）には、軸方向に延在する流通孔５１が形成されている。この流通孔５１は、軸線Ｏ上に配設された貫通孔であり、流通筒５内及び導入筒７内を介して容器２の内部に連通される。また、流通孔５１の下端部には、後述する塗布栓６の弁部６０が着座された弁座面５３が形成されている。この弁座面５３は、下方に向かうに従い漸次拡径されたテーパー面であり、その下端は流通筒５の内周面に連なって形成されている。また、流通筒５の軸方向中間部には、径方向外側に向けて突出したフランジ部５２が全周に亘って設けられており、この環状のフランジ部５２は口部２ａの上端面に載置されている。また、フランジ部５２の下面には、環状の凸部５２ａが全周に亘って形成されており、この凸部５２ａによってフランジ部５２の下面と口部２ａの上端面との間がシールされている。
【００１５】
塗布栓６は、流通孔５１を閉塞する栓体であり、その概略構成としては、有頂筒状の弁部６０と、弁部６０の上面に立設された挿通部６１と、を備えている。弁部６０は、外径が流通孔５１の内径よりも大きく流通筒５の内径よりも小さい略円筒形状の筒部であり、流通筒５の内側に配置されている。この弁部６０の上端の外縁部には、上方に向かうに従い漸次縮径されたテーパー状の当接面６２が形成されている。この当接面６２は、上記した弁座面５３に対して下方から当接されており、これにより、当接面６２と弁座面５３との間がシールされて流通孔５１が閉塞されている。挿通部６１は、軸線Ｏ上に延設された柱状部であり、その外周面には、軸方向に延設された凹溝６３が全長に亘って形成されている。この凹溝６３は、内容物が流通可能な溝部であり、挿通部６１の周方向に間隔をあけて複数形成されている。また、塗布栓６（挿通部６１）の上部は、流通孔５１の上側開口部から塗布面５０の上方に向かって突出されている。
【００１６】
導入筒７は、軸線Ｏを共通軸にして流通筒５と同軸上に配設された有頂筒状の筒部であり、その内部が流通筒５内及び容器２内にそれぞれ連通されている。導入筒７の上部は、上方に向かうに従い漸次縮径されたテーパー形状を成しており、流通筒５内に挿入されている。この導入筒７の上部の周壁部には、内容物が流通可能な連通口７０が形成されている。導入筒７の下部は、流通筒５の下側開口部から下方（容器２の内側）に向かって突出されており、導入筒７の下端は、容器２の内部に向けて開放されている。また、導入筒７の下端部には、導入筒７の下端から上方に延びた側面開口部７３が形成されている。導入筒７の軸方向中間部には、径方向外側に向けて突出したフランジ部７１が設けられており、このフランジ部７１は流通筒５の下端面に当接されている。また、導入筒７の軸方向中間部には、第一付勢部材８の下端を支持する筒状の受部７２が外装されている。この受部７２は、導入筒７の軸方向中間部に圧入嵌合され、フランジ部７１の上方に配設されており、受部７２の下端面はフランジ部７１の上面に当接されている。また、受部７２は、流通筒５の下端部の内側にアンダーカット嵌合されている。
【００１７】
第一付勢部材８は、軸線Ｏ回りに螺旋状に延びる樹脂バネからなり、塗布栓６の弁部６０の下端面と導入筒７の受部７２の上端面との間に介装されている。第一付勢部材８の上端部は、弁部６０の下端部と一体に形成されており、第一付勢部材８の下端部は、受部７２の上端部と一体に形成されている。つまり、塗布栓６、受部７２及び第一付勢部材８は、一体に形成されている。
【００１８】
オーバーキャップ４は、口部２ａに螺着された内キャップ１０と、内キャップ１０に被着されているとともに内キャップ１０に対して相対的に軸方向に押し下げ可能な外キャップ２０と、少なくとも外キャップ２０が押し下げられた状態において当該外キャップ２０を上方に付勢する第二付勢部材３０（本発明の付勢部材に相当する。）と、を備えている。
【００１９】
内キャップ１０は、塗布部材３を覆うキャップ体であり、外キャップ２０の内側に収容されている。この内キャップ１０には、軸線Ｏに対して垂直に配設された円環状の天壁部１１と、天壁部１１の外縁から垂下された円筒形状の周壁部１２と、天壁部１１の内縁から立設された立上り筒部１３と、立上り筒部１３の先端（上端）に設けられた先端壁部１４と、立上り筒部１３の外周面に設けられた第一係合部１５と、第一係合部１５及び連結部１６を介して立上り筒部１３に設けられた第三係合部１７と、が備えられている。
【００２０】
天壁部１１は、軸線Ｏ回りに円環状に延在する板部であり、流通筒５のフランジ部５２の上面に載置されている。周壁部１２は、口部２ａの径方向外側に周設された壁部であり、この周壁部１２の内周面には、口部２ａの雄ネジ２ｂに螺合される雌ネジ１２ａが形成されている。また、周壁部１２の外周面の下部には、径方向外側に突出した凸状の第五係合部１８が全周に亘って形成されている。立上り筒部１３は、上方に向かうに従い漸次縮径されたテーパー状の筒部であり、この立上り筒部１３の内側には、上記した流通筒５の上部が収容されている。先端壁部１４は、立上り筒部１３の上端を閉塞する壁部であり、外径が上方に向かうに従い漸次縮径された円錐台形状を成している。この先端壁部１４の下面の中央部分には、軸線Ｏ上に延設された有頂孔状の凹部１４ａが形成されている。この凹部１４ａの内側には、塗布面５０の上方に突出した塗布栓６（挿通部６１）の上部が挿入されている。また、先端壁部１４には、軸線Ｏ上に延設された貫通孔１４ｂが形成されている。この貫通孔１４ｂは、先端壁部１４の上面から凹部１４ａの上面（天井面）まで延びており、この貫通孔１４ｂの内側には、後述する押下部２５が挿通されている。また、貫通孔１４ｂの内周面には、環状の凸部１４ｃが全周に亘って形成されており、この凸部１４ｃによって貫通孔１４ｂの内周面と押下部２５の外周面との間がシールされている。また、先端壁部１４の下面（内キャップ１０の内方側の面）の外周部分には、環状の凸部１４ｄが全周に亘って形成されており、この凸部１４ｄによって先端壁部１４の下面と流通筒５の上端面（塗布面５０）とがシールされている。
【００２１】
第一係合部１５は、図１〜図３に示すように、立上り筒部１３の外周面に突設された軸方向に延在する略角柱形状の壁部である。この第一係合部１５は、周方向に間隔をあけて複数（図２では４つ）配設されている。また、第一係合部１５の周方向一方側（図２に示す矢印Ｂの方向）の側面は、外キャップ２０の押し下げ時に後述する第二係合部２３に係合する係合面１５ａとなっている。この係合面１５ａは、軸方向に延設された平面部であり、径方向に沿って形成されている。また、第一係合部１５の上端部の周方向他方側（図２に示す矢印Ｃの方向）の側面には、周方向他方側に向かって下向きに傾斜した傾斜面１５ｂが形成されている。なお、第一係合部１５の上端部は、連結部１６の上端面よりも上方に突出されている。
【００２２】
なお、上記した「周方向一方側」（図２に示す矢印Ｂの方向）が、口部２ａに対する内キャップ１０の締込み方向、つまり、内キャップ１０を口部２ａに螺合させる際の内キャップ１０の回転方向であり、上記した「周方向他方側」（図２に示す矢印Ｃの方向）が、口部２ａに対する内キャップ１０の緩み方向、つまり、口部２ａに螺着された内キャップ１０を取り外す際の内キャップ１０の回転方向である。
【００２３】
連結部１６は、径方向に弾性変形可能な壁部であり、周方向に延在する湾曲形状の弾性部材（弾性腕）である。この連結部１６は、第一係合部１５の外面（径方向外側の側面）から周方向他方側に向けて延設されている。つまり、連結部１６の一端部（周方向一方側の端部）は第一係合部１５の外面に連結されている。
【００２４】
第三係合部１７は、軸方向に延設された平面視略扇形状の柱状部であり、連結部１６の他端部（周方向他方側の端部）に設けられている。この第三係合部１７は、連結部１６の外面（径方向外側の側面）よりも径方向外側に突出されており、先端側（周方向他方側）に向かうに従い漸次拡幅されている。この第三係合部１７の先端面（周方向他方側の側面）は、オーバーキャップ４の締込み時に後述する第四係合部２４に係合する係合面１７ａとなっている。この係合面１７ａは、軸方向に延設された平面部であり、径方向に沿って形成されている。一方、第三係合部１７の基端面（周方向一方側の側面）は、内キャップ１０を緩める方向に外キャップ２０を回転させた場合において、当該第三係合部１７が後述する第四係合部２４を乗り越える際に第四係合部２４に摺接する摺接面１７ｂとなっている。この摺接面１７ｂは、軸方向に延設された湾曲面部であり、平面視円弧形状に形成されている。
なお、上記した複数の第一係合部１５、連結部１６及び第三係合部１７は、軸線Ｏに対して回転対称に配設されている。
【００２５】
図１、図２に示すように、外キャップ２０には、軸線Ｏに対して垂直に配設された天壁部２１と、天壁部２１の外縁から垂下された円筒形状の周壁部２２と、天壁部２１の下面外周部から垂下された第二係合部２３と、周壁部２２の内周面に突設された第四係合部２４と、天壁部２１の下面中央部から垂下された押下部２５と、が備えられている。
【００２６】
天壁部２１は、円盤状の板部であり、内キャップ１０の先端壁部１４の上方に配設されている。周壁部２２は、内径が内キャップ１０の周壁部１２の外径よりも大きい筒部であり、内キャップ１０の周壁部１２の下端部分まで延在されている。また、周壁部２２の下端部の内周面には、内キャップ１０の第五係合部１８に対して下方から係合する凸状の第六係合部２６が全周に亘って形成されている。また、この周壁部２２の下端と容器２の肩部２ｃの上面との間には、少なくとも外キャップ２０の押し下げストロークよりも大きい隙間があけられている。
【００２７】
第二係合部２３は、軸方向に延在する平板状の板部である。この第二係合部２３は、周壁部２２の内周面から径方向内側に向かって垂直に形成されており、第二係合部２３は径方向に沿って配置されている。また、第二係合部２３の上端は前記天壁部２１に連設されている。この第二係合部２３は、周方向に間隔をあけて複数（図２では４つ）配設されており、これらの第二係合部２３は、平面視において、上記した第一係合部１５の周方向一方側にそれぞれ配置されている。この第二係合部２３は、外キャップ２０が押し下げられていない状態において、上記した第一係合部１５の上方に配置されている。つまり、第二係合部２３の下端は第一係合部１５の上端よりも上方に配置されている。一方、図４に示すように、外キャップ２０が押し下げられた状態においては、第二係合部２３の下端部は、第一係合部１５の上端部に対して周方向から係合される。なお、第二係合部２３は、外キャップ２０が押し下げられた状態であっても、上記した連結部１６や第三係合部１７の上方に配置されており、連結部１６や第三係合部１７に対して係合されない。
【００２８】
第四係合部２４は、締込み方向（矢印Ｂ方向）の後方側から上記した第三係合部１７に係合するとともに、連結部１６が径方向に弾性変形することで緩み方向（矢印Ｃ方向）の後方側から第三係合部１７を通過する係合部である。具体的に説明すると、第四係合部２４は、軸方向に延在する平面視略三角形状の凸リブ部であり、周壁部２２の内周面の上端（天壁部２１の下面）から少なくとも上記した第三係合部１７の位置まで延設されている。本実施の形態における第四係合部２４は、第三係合部１７の下端面の下側まで延設されている。この第四係合部２４は、周方向に間隔をあけて複数（図２では４つ）配設されており、第四係合部２４の上部は、上記した第二係合部２３に連結されている。第四係合部２４の周方向一方側の側面は、オーバーキャップ４の締込み時に上記した第三係合部１７の係合面１７ａに係合される係合面２４ａとなっている。この係合面２４ａは、周壁部２２の内周面から径方向内側に向かって垂直に突出された平面部であり、径方向に沿って形成されている。また、係合面２４ａの上部は、第二係合部２３の周方向一方側の表面と面一に形成されている。一方、第四係合部２４の他方側の側面は、内キャップ１０を緩める方向に外キャップ２０を回転させた場合において、当該第四係合部２４が第三係合部１７を通過する際に第三係合部１７の湾曲面状の摺接面１７ｂに摺接する摺接面２４ｂとなっている。この摺接面２４ｂは、上記した係合面２４ａに対して略垂直に形成された平面部であり、外キャップ２０（周壁部２２）の内周面に対して傾斜されている。すなわち、摺接面２４ｂは、周方向一方側に向かうに従い漸次径方向内側に傾いた傾斜面となっている。
【００２９】
押下部２５は、軸線Ｏ上に延設されたピン状の部材であり、外キャップ２０が押し下げられることで上記した塗布栓６を押し下げて流通孔５１を開放させる部材である。この押下部２５は、上記した内キャップ１０の先端壁部１４の貫通孔１４ｂの内側に挿通されており、その先端部が下方に向かうに従い漸次縮径されている。この押下部２５は、外キャップ２０が押し下げられていない状態においては、その先端（下端）と塗布栓６の上端面との間に隙間をあけて配置されている。
【００３０】
第二付勢部材３０は、外キャップ２０の天壁部２１から軸方向に沿って垂下された複数の壁部３１からなり、これら複数の壁部３１は、外キャップ１１と一体に形成されている。壁部３１は、周方向に沿って湾曲された平面視円弧状の板部であり、径方向外側に向けて弾性的に撓み変形可能である。複数の壁部３１は、周方向に間隔をあけて配設されており、押下部２５の周りに周設されている。また、複数の壁部３１（第二付勢部材３０）の下端は、内キャップ１０の先端壁部１４のテーパー状の外周面に当接されている。つまり、第二付勢部材３０は、内キャップ１０の先端壁部１４と外キャップ２０の天壁部２１との間に介在されている。そして、この第二付勢部材３０を介して外キャップ２０が内キャップ１０に支持されており、これにより、内キャップ１０と外キャップ２０との相対的な軸方向位置関係が保持されている。
【００３１】
次に、上記した構成からなる塗布容器１の作用について説明する。
【００３２】
まず、使用前の塗布容器１は、図１に示すように、外キャップ２０が第二付勢部材３０を介して内キャップ１０に支持されており、外キャップ２０は押し上げられた状態で保持されている。このとき、外キャップ２０の第二係合部２３が内キャップ１０の第一係合部１５の上方に配置される。したがって、外キャップ２０を周方向他方側（緩み方向／図２に示すＣ方向）に回転させても、第一係合部１５と第二係合部２３とが互いに係合されない。また、外キャップ２０を周方向他方側に回転させると、外キャップ２０の第四係合部２４が内キャップ１０の第三係合部１７に当接するが、このとき、連結部１６が径方向内側に弾性変形するとともに、第四係合部２４の摺接面２４ｂが第三係合部１７の摺接面１７ｂ上を摺動し、第四係合部２４は周方向一方側（緩み方向の後方側）から第三係合部１７を通過して周方向他方側へ移動する。したがって、外キャップ２０が軸線Ｏ回りに回転しても内キャップ１０は回転せず、口部２ａに螺着された内キャップ１０が緩められることはない。つまり、外キャップ２０を回転させるだけでは外キャップ２０が空回りするため、オーバーキャップ４は外れない。
また、外キャップ２０の第六係合部２６が内キャップ１０の第五係合部１８に係止されており、これにより、内キャップ１０に対して外キャップ２０が抜け止めされ、内キャップ１０から外キャップ２０が外れることが防止されている。
【００３３】
一方、塗布容器１を使用する際には、まず、図４に示すように、外キャップ２０を軸方向に沿って押し下げる。これにより、外キャップ２０の第二係合部２３の下端部が内キャップ１０の第一係合部１５の上端部に対して周方向から係合可能となる。
また、外キャップ２０が押し下げられると、外キャップ２０と共に押下部２５が下降するため、押下部２５の先端によって塗布栓６の上端面が押圧され、第一付勢部材８が弾性的に圧縮されるとともに塗布栓６が下方に押し下げられる。これにより、流通孔５１の弁座面５３から塗布栓６の弁部６０の当接面６２が離間し、流通孔５１が開放される。
また、外キャップ２０が押し下げられると、外キャップ２０と共に第二付勢部材３０が下降するため、第二付勢部材３０が下降するとともに第二付勢部材３０の壁部３１が先端壁部１４のテーパー状の外周面に押圧されて径方向外側に弾性的に撓み変形する。
【００３４】
次に、外キャップ２０を押し下げた状態のまま、外キャップ２０を周方向他方側（緩み方向）に回転させる。このとき、外キャップ２０の第二係合部２３の下端部が内キャップ１０の第一係合部１５の係合面１５ａの上端部に当接し、第二係合部２３が第一係合部１５に対して緩み方向の後方側から係合されるので、外キャップ２０が周方向他方側に回転するとともに内キャップ１０が周方向他方側に回転する。これにより、口部２ａに螺着された内キャップ１０が緩められ、オーバーキャップ４が口部２ａから取り外される。
【００３５】
また、口部２ａに螺着された内キャップ１０が緩められると、口部２ａに対して内キャップ１０が相対的に上昇するため、内キャップ１０の先端壁部１４の下面（凸部１４ｄ）が流通筒５の塗布面５０から離間し、先端壁部１４の下面と流通筒５の塗布面５０とのシールが解除される。一方、上述したように外キャップ２０が押し下げられることにより流通孔５１が開放されている。したがって、仮に容器２の内圧が上昇した場合であっても、容器２内の圧力が、流通孔５１から、先端壁部１４の凹部１４ａ内、先端壁部１４の下面と流通筒５の塗布面５０との隙間、流通筒５の外周面と立上り筒部１３の内周面との隙間、流通筒５のフランジ部５２上面と内キャップ１０の天壁部１１の下面との隙間、及び、口部２ａの雄ネジ２ｂと内キャップ１０の周壁部１２の雌ネジ１２ａとの隙間をそれぞれ通って容器２の外部に抜ける。これにより、容器２の内圧が低下し、容器２の内圧が外気圧と略同等となる。
【００３６】
また、口部２ａに螺着された内キャップ１０が緩められるに従い、外キャップ２０が口部２ａに対して相対的に上方に移動して押下部２５が上昇するため、押下部２５による塗布栓６の押し下げが解除されるとともに、第一付勢部材８の弾性力（復元力）によって塗布栓６が上方に付勢されて押し上げられる。これにより、オーバーキャップ４が口部２ａから取り外された時、塗布栓６（挿通部６１）の上部が流通孔５１の上側開口部から塗布面５０の上方に突出された状態となる。
【００３７】
また、オーバーキャップ４が口部２ａから取り外されると、第二付勢部材３０によって外キャップ２０が上方に付勢され、外キャップ２０が内キャップ１０に対して相対的に押し上げられる。すなわち、弾性変形した壁部３１の弾性力（復元力）によって外キャップ２０が内キャップ１０に対して相対的に軸方向上側に移動し、押し下げ前の元の位置に戻る。これにより、外キャップ２０の第二係合部２３が内キャップ１０の第一係合部１５の上方に配置され、第一係合部１５と第二係合部２３とが互いに係合されない状態となる。
【００３８】
次に、塗布部材３によって容器２内の内容物を被塗布面に塗布する。詳しく説明すると、オーバーキャップ４を口部２ａから取り外した後、容器２を傾けるとともに塗布部材３の塗布面５０を被塗布面に押し当てる。これにより、塗布栓６（挿通部６１）の先端面が被塗布面に押圧され、第一付勢部材８が弾性的に圧縮されるとともに塗布栓６が容器２の内方側に押し込められる。これにより、流通孔５１の弁座面５３から塗布栓６の弁部６０の当接面６２が離間し、流通孔５１が開放される。そして、容器２内の内溶液が、導入筒７の側面開口部７３などから導入筒７内に流入した後、導入筒７の連通口７０から流通筒５内に流入し、その後、弁座面５３と当接面６２との隙間から流通孔５１内に流入し、塗布栓６の挿通部６１に形成された凹溝６３の内側を通って流通孔５１の先端開口部から吐出されて被塗布面に塗布される。このとき、容器２の胴部をスクイズ変形させることで容器２内の内容物を強制的に吐出させてもよい。
また、塗布部材３の塗布面５０を被塗布面から離すと、被塗布面による塗布栓６の押し込みが解除されるとともに、第一付勢部材８の弾性力（復元力）によって塗布栓６が容器２の外方側に付勢されて押し出される。これにより、塗布栓６（挿通部６１）の先端部が流通孔５１の先端側開口部から突出された状態となる。
【００３９】
また、内容物の塗布が終わった後、オーバーキャップ４を口部２ａに装着させる。詳しく説明すると、まず、オーバーキャップ４を口部２ａに被せ、その後、外キャップ２０を周方向一方側（締込み方向）に軸線Ｏ回りに回転させる。このとき、外キャップ２０の第四係合部２４の係合面２４ａが内キャップ１０の第三係合部１７の係合面１７ａに当接し、第四係合部２４が第三係合部１７に対して締込み方向の後方側から係合されるので、外キャップ２０が周方向一方側に回転すると共に内キャップ１０が周方向一方側に回転する。これにより、内キャップ１０が口部２ａに締め込まれて螺着され、オーバーキャップ４が口部２ａに装着される。
【００４０】
［第２の実施の形態］
次に、本発明の第２の実施の形態について、図５から図８に基いて説明する。
図５は本実施の形態における塗布容器１の縦断面図であり、図６は図５に示すＤ−Ｄ間の横断面図であり、図７は内キャップ１１０を表す斜視図であり、図８は外キャップ１２０を押し下げた状態を表す塗布容器１の縦断面図である。
なお、本実施の形態では、上述した第１の実施の形態と同様の構成については、同一の符号を付して説明を省略する。
【００４１】
図５〜図７に示すように、内キャップ１１０は、円環状の天壁部１１と、内周面に雌ネジ１２ａが形成された周壁部１２と、天壁部１１の内縁から立設された複数（図６では４つ）の立上り壁部１１３と、複数の立上り壁部１１３の先端（上端）に設けられた先端壁部１４と、天壁部１１の上面に設けられた第一係合部１１５と、連結部１１６を介して天壁部１１に設けられた第三係合部１１７と、が備えられている。
【００４２】
立上り壁部１１３は、平面視円弧状に湾曲されていると共に軸線Ｏ方向に沿って延在する壁部である。複数の立上り壁部１１３は、天壁部１１の内縁全周に亘って、周方向に間隔をあけて均等に配設されている。複数の立上り壁部１１３の上端部の内側には、先端壁部１４の下端部が連結されており、先端壁部１４は、複数の立上り壁部１１３の上端から上方に向けて突出されている。
【００４３】
第一係合部１１５は、天壁部１１の上面に突設された突出部であり、各立上り壁部１１３の径方向外側にそれぞれ配設され、周方向に間隔をあけて複数（図６では４つ）配設されている。第一係合部１１５の周方向一方側（図６に示す矢印Ｅの方向）の側面は、外キャップ１２０の押し下げ時に後述する第二係合部１２３に係合する係合面１１５ａとなっている。この係合面１１５ａは、軸方向に延設された平面部であり、径方向に沿って形成されている。また、第一係合部１１５の周方向他方側（図６に示す矢印Ｆの方向）の側面には、周方向他方側に向かって下向きに傾斜した傾斜面１１５ｂが形成されている。
【００４４】
なお、上記した「周方向一方側」（図６に示す矢印Ｅの方向）が、口部２ａに対する内キャップ１１０の締込み方向、つまり、内キャップ１１０を口部２ａに螺合させる際の内キャップ１１０の回転方向であり、上記した「周方向他方側」（図６に示す矢印Ｆの方向）が、口部２ａに対する内キャップ１１０の緩み方向、つまり、口部２ａに螺着された内キャップ１１０を取り外す際の内キャップ１１０の回転方向である。
【００４５】
連結部１１６は、天壁部１１の内縁から立設されていると共に軸方向に沿って延在する壁部であり、平面視円弧形状に湾曲された壁部である。この連結部１１６は、径方向に向けて弾性的に撓み変形する弾性部材である。この連結部１１６は、周方向に隣り合う立上り壁部１１３の間にそれぞれ配設されている。
【００４６】
第三係合部１１７は、軸方向に延設された平面視略直角台形状の柱状部であり、連結部１１６の上端部の外面に設けられている。この第三係合部１１７は、連結部１１６の外面（径方向外側の側面）よりも径方向外側に突出されており、周方向他方側に向かうに従い漸次拡幅されている。この第三係合部１１７の周方向他方側の側面は、オーバーキャップ４の締込み時に後述する第四係合部１２４に係合する係合面１１７ａとなっている。この係合面１１７ａは、軸方向に延設された平面部であり、径方向に沿って形成されている。一方、第三係合部１１７の周方向一方側の側面は、内キャップ１１０を緩める方向に外キャップ１２０を回転させた場合において、当該第三係合部１１７が後述する第四係合部１２４を乗り越える際に第四係合部１２４に摺接する摺接面１１７ｂとなっている。この摺接面１１７ｂは、軸方向に延設された平面部であり、周方向一方側に向かうに従い漸次径方向内側に傾いた傾斜面となっている。
なお、上記した複数の第一係合部１１５、連結部１１６及び第三係合部１１７は、軸線Ｏに対して回転対称に配設されている。
【００４７】
図５、図６に示すように、外キャップ１２０には、軸線Ｏに対して垂直に配設された天壁部２１と、天壁部２１の外縁から垂下された筒状の周壁部１２２と、周壁部１２２の内周面に突設された第二係合部１２３と、周壁部１２２の内周面に突設された第四係合部１２４と、天壁部２１の下面中央部から垂下された押下部２５と、が備えられている。
【００４８】
周壁部１２２は、上部が縮径された２段の筒部であり、天壁部２１の外縁から垂下された上側筒部１２２ａと、上側筒部１２２ａよりも大径であると共に上側筒部１２２ａの下方に配設された下側筒部１２２ｂと、上側筒部１２２ａの下端と下側筒部１２２ｂの上端との間に介在された縦断面視略円弧状の段差部１２２ｃと、を備えている。上側筒部１２２ａの内側には、押下部２５や第二付勢部材３０が配設されていると共に、内キャップ１１０の先端壁部１４や第三係合部１１７が収容されている。一方、下側筒部１２２ｂの内側には、内キャップ１１０の天壁部１１や周壁部１２、第一係合部１１５が収容されている。なお、下側筒部１２２ｂの下端と容器２の肩部２ｃの上面との間には、少なくとも外キャップ１２０の押し下げストロークよりも大きい隙間があけられている。
【００４９】
第二係合部１２３は、軸方向に延在する平板状の板部である。この第二係合部１２３は、段差部１２２ｃの下面から垂下されており、第二係合部１２３は径方向に沿って配置されている。この第二係合部１２３は、周方向に間隔をあけて複数（図６では４つ）配設されており、これらの第二係合部１２３は、平面視において、上記した第一係合部１１５の周方向一方側にそれぞれ配置されている。この第二係合部１２３は、外キャップ１２０が押し下げられていない状態において、上記した第一係合部１１５の上方に配置されている。つまり、第二係合部１２３の下端は第一係合部１１５の上端よりも上方に配置されている。一方、図８に示すように、外キャップ１２０が押し下げられた状態においては、第二係合部１２３は、第一係合部１１５に対して周方向から係合される。
【００５０】
第四係合部１２４は、外キャップ１２０を締込み方向に回転させた際に、上記した第三係合部１１７に係合するとともに、連結部１１６が径方向に弾性変形することで緩み方向に回転させた際に、第三係合部１１７を通過する係合部である。具体的に説明すると、第四係合部１２４は、軸方向に延在する平面視略三角形状の凸リブ部であり、上側筒部１２２ａの内周面の上端（天壁部２１の下面）から下端まで延設されている。この第四係合部１２４は、周方向に間隔をあけて複数（図６では４つ）配設されており、第四係合部１２４は、周方向に間隔をあけて配設された第二係合部１２３の間に配設されている。第四係合部１２４の周方向一方側の側面は、オーバーキャップ４の締込み時に上記した第三係合部１１７の係合面１１７ａに係合される係合面１２４ａとなっている。この係合面１２４ａは、上側筒部１２２ａの内周面から径方向内側に向かって垂直に突出された平面部であり、径方向に沿って形成されている。一方、第四係合部１２４の他方側の側面は、内キャップ１１０を緩める方向に外キャップ１２０を回転させた場合において、当該第四係合部１２４が第三係合部１１７を通過する際に第三係合部１１７の摺接面１１７ｂに摺接する摺接面１２４ｂとなっている。この摺接面１２４ｂは、上記した係合面１２４ａに対して略垂直に形成された平面部であり、外キャップ１２０（上側筒部１２２ａ）の内周面に対して傾斜されている。すなわち、摺接面１２４ｂは、周方向一方側に向かうに従い漸次径方向内側に傾いた傾斜面となっている。
【００５１】
次に、上記した構成からなる塗布容器１の作用について説明する。
【００５２】
まず、使用前の塗布容器１は、図５に示すように、外キャップ１２０の第二係合部１２３が内キャップ１１０の第一係合部１１５の上方に配置されており、外キャップ１２０を周方向他方側（緩み方向／図６に示すＦ方向）に回転させても、第一係合部１１５と第二係合部１２３とが互いに係合されない。また、外キャップ１２０を周方向他方側に回転させると、外キャップ１２０の第四係合部１２４が内キャップ１１０の第三係合部１１７に当接するが、このとき、連結部１１６が径方向内側に弾性変形するとともに、第四係合部１２４の摺接面１２４ｂが第三係合部１１７の摺接面１１７ｂ上を摺動し、第四係合部１２４は周方向一方側から第三係合部１１７を通過して周方向他方側へ移動する。したがって、外キャップ１２０が軸線Ｏ回りに回転しても内キャップ１１０は回転せず、口部２ａに螺着された内キャップ１０が緩められることはない。
【００５３】
一方、塗布容器１を使用する際には、まず、図８に示すように、外キャップ１２０を軸方向に沿って押し下げる。これにより、外キャップ１２０の第二係合部１２３が内キャップ１１０の第一係合部１１５に対して周方向から係合可能となる。
【００５４】
次に、外キャップ１２０を押し下げた状態のまま、外キャップ１２０を周方向他方側（緩み方向）に回転させる。このとき、外キャップ１２０の第二係合部１２３が内キャップ１１０の第一係合部１１５の係合面１１５ａに当接し、第二係合部１２３が第一係合部１１５に対して係合されるので、外キャップ１２０が周方向他方側に回転するとともに内キャップ１１０が周方向他方側に回転する。これにより、口部２ａに螺着された内キャップ１１０が緩められ、オーバーキャップ４が口部２ａから取り外される。
【００５５】
また、オーバーキャップ４が口部２ａから取り外されると、第二付勢部材３０によって外キャップ１２０が上方に付勢され、外キャップ１２０が内キャップ１１０に対して相対的に押し上げられて押し下げ前の元の位置に戻る。これにより、外キャップ１２０の第二係合部１２３が内キャップ１１０の第一係合部１１５の上方に配置され、第一係合部１１５と第二係合部１２３とが互いに係合されない状態となる。
この状態で、塗布部材３によって容器２内の内容物を被塗布面に塗布する。
【００５６】
また、内容物の塗布が終わった後、オーバーキャップ４を口部２ａに装着させる。詳しく説明すると、まず、オーバーキャップ４を口部２ａに被せ、その後、外キャップ１２０を周方向一方側（締込み方向）に軸線Ｏ回りに回転させる。このとき、外キャップ１２０の第四係合部１２４の係合面１２４ａが内キャップ１１０の第三係合部１１７の係合面１１７ａに当接し、第四係合部１２４が第三係合部１１７に対して係合されるので、外キャップ１２０が周方向一方側に回転すると共に内キャップ１１０が周方向一方側に回転する。これにより、内キャップ１１０が口部２ａに締め込まれて螺着され、オーバーキャップ４が口部２ａに装着される。
【００５７】
次に、上記した第１、第２の実施の形態における塗布容器１の効果について説明する。
【００５８】
上記した塗布容器１によれば、オーバーキャップ４を取り外すには外キャップ２０，１２０を押し下げながら回転させる必要があり、外キャップ２０，１２０を回転させただけではオーバーキャップ４が外れないため、オーバーキャップ４が不用意に取り外されるのを防止することができる。
【００５９】
また、上記した塗布容器１では、オーバーキャップ４が口部２ａから取り外されると、第二付勢部材３０によって外キャップ２０，１２０が上方に付勢され、第一係合部１５，１１５と第二係合部２３，１２３とが互いに係合されない状態に戻るので、一旦取り外されたオーバーキャップ４を口部２ａに再び装着させた場合であっても、当該オーバーキャップ４は外キャップ２０，１２０を回転させただけでは外れない。つまり、オーバーキャップ４が繰返し着脱された場合でもオーバーキャップ４の不用意な取り外しを防止することができる。
また、上記した塗布容器１では、第二付勢部材３０が外キャップ２０，１２０と一体に形成されているので、部品数を低減させることができる。
【００６０】
また、上記した塗布容器１では、外キャップ２０，１２０に、締込み方向の後方側から内キャップ１０，１１０の第三係合部１７，１１７に係合するとともに、緩み方向の後方側から第三係合部１７，１１７を通過する第四係合部２４，１２４が設けられており、外キャップ２０，１２０を押し下げることなく、外キャップ２０，１２０を回転させるだけで内キャップ１０，１１０が口部２ａに螺着されるので、オーバーキャップ４を口部２ａに簡単に装着させることができる。
【００６１】
また、上記した塗布容器１では、上述した外キャップ２０，１２０の押し下げ時に押下部２５によって塗布栓６が押し下げられて流通孔５１が一旦開放されるので、仮に何らかの理由により容器２の内圧が上昇していた場合であっても、内容物の塗布時には容器２の内圧が低下しているので、必要以上に多い内容物が噴出することを防止することができる。
【００６２】
以上、本発明に係る塗布容器の第１、第２の実施の形態について説明したが、本発明は上記した実施の形態に限定されるものではなく、その趣旨を逸脱しない範囲で適宜変更可能である。
【００６３】
例えば、上記した第１、第２の実施の形態では、内キャップ１０，１１０に連結部１６，１１６を介して第三係合部１７，１１７が設けられ、外キャップ２０，１２０に第四係合部２４，１２４が設けられているが、例えば、第一係合部１１５の傾斜面１１５ｂを軸方向に延設された平面部とすることにより、これら第三係合部１７，１１７及び第四係合部２４，１２４を省略することも可能である。この場合、オーバーキャップ４を口部２ａに装着させるときには、オーバーキャップ４を口部２ａに被せた後、外キャップ２０，１２０を押し下げながら回転させることで、内キャップ１０，１１０の第一係合部１５，１１５と外キャップ２０，１２０の第二係合部２３，１２３とが係合され、外キャップ２０，１２０と共に内キャップ１０，１１０を回転させることができる。
【００６４】
また、上記した第１、第２の実施の形態では、外キャップ２０，１２０が押し下げられた状態において外キャップ２０，１２０を上方に付勢する第二付勢部材３０が備えられ、この第二付勢部材３０は、外キャップ２０，１２０が押し下げられていない状態においては外キャップ２０，１２０を付勢しない構成となっているが、本発明は、外キャップ２０，１２０が押し下げられていない状態においても外キャップ２０，１２０を上方に付勢する付勢部材を用いることも可能である。例えば、外キャップ２０，１２０が押し下げられていない状態において、第二付勢部材３０（壁部３１）が弾性変形されていてもよい。
また、本発明は、外キャップ２０，１２０の押し下げ前に、押下部２５によって塗布栓６が押し下げられていてもよい。例えば、先端壁部１４に凹部１４ａが形成されてなく、先端壁部１４の貫通孔１４ｂが先端壁部１４の上面から下面まで延在されており、押下部２５が前記貫通孔１４ｂの下側開口部の下方まで延びた構成であってもよい。この場合、先端壁部１４の下面の凸部１４ｄと貫通孔１４ｂの内周面の凸部１４ｃとによって液漏れが防止される。
また、上記した実施の形態では、容器２の内圧を逃がす通路が、内キャップ１０，１１０と流通筒５との隙間、及び口部２ａと内キャップ１０，１１０との隙間によって形成されているが、本発明は、貫通孔１４ｂ、及び内キャップ１０，１１０と外キャップ２０，１２０との隙間によって、容器２の内圧を逃がす通路を形成してもよい。この場合、例えば押下部２５の外周面に軸方向に延びる凹部（凹溝）を形成し、外キャップ２０，１２０を押し下げた際に、当該凹部を介して凸部１４ｃの内外を連通する構成を採用することができる。
【００６５】
また、上記した第１、第２の実施の形態では、第二付勢部材３０が外キャップ２０，１２０と一体に形成された複数の壁部３１から構成されているが、本発明の付勢部材（第二付勢部材）として他の付勢部材を用いることも可能であり、例えばコイルスプリングを用いることができる。また、本発明の付勢部材は、外キャップと一体に形成されていなくてもよく、内キャップと一体に形成されていてもよく、或いは、内キャップや外キャップと別体に形成されていてもよい。
【００６６】
また、上記した第１、第２の実施の形態では、塗布部材３に、流通筒５と塗布栓６と導入筒７と第一付勢部材８とが備えられ、流通筒５の先端に塗布面５０が形成され、この塗布面５０に流通孔５１が形成されているが、本発明は、例えば、容器口部２に、上方側に膨出された半球状の蓋体が装着され、この蓋体の外面が塗布面となり、この蓋体に流通孔が形成され、この流通孔に塗布栓６が挿通された塗布容器であってもよい。また、本発明のオーバーキャップは、例えば、容器口部に装着された中栓にスポンジが設けられ、容器内の内容物をスポンジに浸透させるとともにこのスポンジを被塗布面に押し当てることで内容物を塗布する塗布部材に採用することもできる。
【００６７】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００６８】
【図１】本発明の第１の実施の形態を説明するための塗布容器の縦断面図である。
【図２】図１に示すＡ−Ａ間の横断面図である。
【図３】本発明の第１の実施の形態を説明するための第一係合部、連結部及び第三係合部を表す部分斜視図である。
【図４】本発明の第１の実施の形態を説明するための外キャップを押し下げた状態を表す塗布容器の縦断面図である。
【図５】本発明の第２の実施の形態を説明するための塗布容器の縦断面図である。
【図６】図１に示すＤ−Ｄ間の横断面図である。
【図７】本発明の第２の実施の形態を説明するための内キャップの斜視図である。
【図８】本発明の第２の実施の形態を説明するための外キャップを押し下げた状態を表す塗布容器の縦断面図である。
【符号の説明】
【００６９】
１  塗布容器
２  容器
２ａ  口部
３  塗布部材
４  オーバーキャップ
６  塗布栓
１０，１１０  内キャップ
１５，１１５  第一係合部
１６，１１６  連結部
１７，１１７  第三係合部
２０，１２０  外キャップ
２３，１２３  第二係合部
２４，１２４  第四係合部
３０  第二付勢部材（付勢部材）
５０  塗布面
５１  流通孔
【図１】
2010076840.tif 000003
【図２】
2010076840.tif 000004
【図３】
2010076840.tif 000005
【図４】
2010076840.tif 000006
【図５】
2010076840.tif 000007
【図６】
2010076840.tif 000008
【図７】
2010076840.tif 000009
【図８】
2010076840.tif 000010